(57)【特許請求の範囲】
【請求項１】
排水口を有する排水ボウル部を底部に備える水槽と、上面に開口が形成されるとともに、側面に排水管に接続される出口が形成される有底筒状のトラップ本体、及び上方から前記排水口内に挿通されることで上端部が前記排水ボウル部に連通され、下端部が前記出口よりも下方に配置される入口管とを有する排水トラップと、を備え、前記入口管内そして前記トラップ本体の内周面と前記入口管の外周面との間を介して前記出口から前記排水管に排水する排水設備であって、
前記排水ボウル部は、外周面に被接続部を備え、前記トラップ本体は、前記出口の上方位置で前記被接続部に接続するための接続部を備えていることを特徴とする排水設備。
【請求項２】
前記接続部は、前記トラップ本体の外周面に設けられたトラップフランジであり、前記被接続部は、ボウル部フランジであり、前記トラップフランジと前記ボウル部フランジとは、両者が当接した状態でファスナーまたはナットによって挟持連結されることを特徴とする請求項１に記載の排水設備。
【請求項３】
前記排水ボウル部は、前記水槽とは別体として構成され、上端縁部にフランジを有しているとともに、前記水槽の底部に係止される外周面に雄螺子部が形成されたボルト部材と内周面に前記雄螺子部に螺着可能な雌螺子部が形成されたナット部材とを螺着することで前記フランジを前記ボルト部材と前記ナット部材との間で挟持させ、前記水槽に水密に取り付けられることを特徴とする請求項１または２に記載の排水設備。
【請求項４】
前記水槽はステンレス材によって構成されており、前記排水ボウル部は、内周面がステンレス材によって構成されているとともに、外周面が樹脂材によって構成されていることを特徴とする請求項１ないし３のいずれかに記載の排水設備。
【発明の詳細な説明】
【技術分野】
【０００１】
本発明は、排水口を有する排水ボウル部を底部に備える水槽と、上面に開口が形成されるとともに、側面に排水管に接続される出口が形成される有底筒状のトラップ本体、及び上方から排水口内に挿通されることで上端部が排水ボウル部に連通され、下端部が出口よりも下方に配置される入口管とを有する排水トラップと、を備え、入口管内そしてトラップ本体の内周面と入口管の外周面との間を介して出口から排水管に排水する排水設備に関する。
【背景技術】
【０００２】
従来の排水設備は、水槽の底面部に形成された排水口本体に、排水口を有するとともに上端部にプレートが設けられた底皿部を挿入し、水槽の下方から底皿部の外周面に形成されたねじに螺合する取付部材を締め込むことで、プレートと取付部材によって水槽の底部を挟持して取り付けられている（例えば、特許文献１参照）。
【先行技術文献】
【特許文献】
【０００３】
【特許文献１】特開２００５−１７９９５０号公報（第４頁、第５図）
【発明の概要】
【発明が解決しようとする課題】
【０００４】
しかしながら、特許文献１に記載の排水設備にあっては、底皿部のプレートと排水口本体（排水ボウル部）の底部との間に水槽で使用された水による水垢等の汚れが堆積してしまうという問題がある。
【０００５】
本発明は、このような問題点に着目してなされたもので、水槽で使用された水を排水するまでの過程で水槽と排水トラップとの接続箇所での汚れの堆積を防止することができる排水設備を提供することを目的とする。
【課題を解決するための手段】
【０００６】
前記課題を解決するために、本発明の排水設備は、
排水口を有する排水ボウル部を底部に備える水槽と、上面に開口が形成されるとともに、側面に排水管に接続される出口が形成される有底筒状のトラップ本体、及び上方から前記排水口内に挿通されることで上端部が前記排水ボウル部に連通され、下端部が前記出口よりも下方に配置される入口管とを有する排水トラップと、を備え、前記入口管内そして前記トラップ本体の内周面と前記入口管の外周面との間を介して前記出口から前記排水管に排水する排水設備であって、
前記排水ボウル部は、外周面に被接続部を備え、前記トラップ本体は、前記出口の上方位置で前記被接続部に接続するための接続部を備えていることを特徴としている。
この特徴によれば、水槽で使用された水が排水管に排水されるまで一切触れることがない出口の上方位置で接続部が被接続部に接続されるので、接続部と被接続部との間に水垢等の汚れが付着することが防止され、排水トラップからの悪臭の発生を阻止することができる。
【０００７】
本発明の排水設備は、
前記接続部は、前記トラップ本体の外周面に設けられたトラップフランジであり、前記被接続部は、ボウル部フランジであり、前記トラップフランジと前記ボウル部フランジとは、両者が当接した状態でファスナーまたはナットによって挟持連結されることを特徴としている。
この特徴によれば、トラップフランジとボウル部フランジとをファスナーまたはナットによって挟持する簡単な連結構造によって、トラップ本体と排水ボウル部とを専用の工具等に習熟せずとも容易に連結することができる。
【０００８】
本発明の排水設備は、
前記排水ボウル部は、前記水槽とは別体として構成され、上端縁部にフランジを有しているとともに、前記水槽の底部に係止される外周面に雄螺子部が形成されたボルト部材と内周面に前記雄螺子部に螺着可能な雌螺子部が形成されたナット部材とを螺着することで前記フランジを前記ボルト部材と前記ナット部材との間で挟持させ、前記水槽に水密に取り付けられることを特徴としている。
この特徴によれば、水槽と排水ボウル部とを一体に製造せずとも水槽と排水ボウル部とを別体として製造し、ボルト部材をナット部材に対して螺着することによってフランジをボルト部材とナット部材との間で挟持するのみで容易に排水ボウル部を水槽に取り付けることができる。
【０００９】
本発明の排水設備は、
前記水槽はステンレス材によって構成されており、前記排水ボウル部は、内周面がステンレス材によって構成されているとともに、外周面が樹脂材によって構成されていることを特徴としている。
この特徴によれば、水槽と排水ボウル部の内周面とをステンレス材によって構成することで、水槽と排水ボウル部とに一体感を持たせて清潔感を演出することができるとともに、排水ボウル部の外周面を樹脂材によって構成することで、被接続部の形成を容易に行うことができる。
【図面の簡単な説明】
【００１０】
【図１】実施例における水槽、排水ボウル部及び排水トラップを示す分解断面図である。
【図２】排水ボウル部及び排水トラップが水槽に取り付けられた状態を示す断面図である。
【図３】（ａ）は、ファスナーの平面図であり、（ｂ）は、ファスナーの正面図であり、（ｃ）は、図３（ｂ）におけるファスナーのＡ−Ａ断面図である。
【図４】実施例における第１変形例としての水槽、排水ボウル部及び排水トラップの断面図である。
【図５】実施例における第２変形例としての水槽、排水ボウル部及び排水トラップを示す分解断面図である
【発明を実施するための形態】
【００１１】
本発明に係る排水設備を実施するための形態を実施例に基づいて以下に説明する。
【実施例】
【００１２】
実施例に係る排水設備につき、図１から図５を参照して説明する。図１の符号１は、家庭内のキッチン等で調理や食器の洗浄等に使用される水槽である。図１及び図２に示すように、この水槽１はステンレス材を成形加工することによって構成されており、底部に上下方向に向く開口１ａを有している。尚、この開口１ａの下端部は水槽の外側方を向くように溶接形成された係止部１ｂが形成されており、この係止部１ｂには、外周面に雄螺子部８ａが形成された後述するボルト部材８が嵌着されている。
【００１３】
水槽１の底部には、上方に向けて開口１ａと略同一径で開口する排水ボウル部２が取り付けられている。この排水ボウル部２は、内周部２ａが水槽１と同じくステンレス材により構成されているとともに、外周部２ｂが樹脂材により構成された二重構造となっており、外周部２ｂの上端縁部には、排水ボウル部２の外側方を向くフランジ２ｃが形成されている。
【００１４】
また、排水ボウル部２の底部には、開口よりも小径の排水口３が上下方向に向けて外周部２ｂ及び内周部２ａとに亘って貫通形成されている。この排水口３の上部側は、下部側よりも僅かに大径に形成されている。このため、排水口３の上部側と下部側との間には段差部２ｄが形成されている。
【００１５】
尚、排水ボウル部２の外周部２ｂの底部には、排水口３を側方から囲む環状の環状片２ｅが形成されている。この環状片２ｅは、外周部２ｂの底部から下方に向けて延設されているとともに、下端部には環状片２ｅの外側方を向く本発明における被接続部としてのボウル部フランジ２ｆが形成されている。
【００１６】
このように構成された排水ボウル部２を水槽１に取り付けるには、フランジ２ｃを環状のパッキン６を介して係止部１ｂに下方から接触させた後、内周面に雌螺子部９ａが形成されたナット部材９をボルト部材８に下方から螺挿することでフランジ２ｃをボルト部材８が嵌着されている係止部１ｂとナット部材９との間で挟持させる。このとき、フランジ２ｃと係止部１ｂとの間は、パッキン６によって水密に保持される。
【００１７】
排水ボウル部２の下部には、水槽１で使用された水を排水管１８に向けて排水処理を行うとともに、下水で発生する塩化水素等の悪臭ガスや鼠等の衛生害獣の屋内への侵入を阻止するための排水トラップ４が設けられている。
【００１８】
この排水トラップ４は、図１及び図２に示すように、排水口３に対して上方から挿入される入口管５と、排水ボウル部２に下方から取り付けられるトラップ本体７と、から主に構成されている。このうち入口管５は、下部側が排水口３の下部側に挿入可能な外径に形成されており、上端部には入口管５の外側方に向けて段差部２ｄに係止するためのフランジ５ａが形成されている。このため入口管５は、排水口３に対して上方から挿入されることで段差部２ｄにフランジ５ａを係止させることで、排水トラップ４への吊持がなされる。
【００１９】
トラップ本体７は、上方に向けて開口するとともに、底部が取り外し可能なドレンキャップ７ａによって閉塞された有底筒状に形成されている。このトラップ本体７の外径は、排水口３の外径よりも大径、且つ環状片２ｅよりも僅かに小径に形成されている。また、トラップ本体７は、上部に本発明における接続部としてのトラップフランジ７ｂを備えており、トラップ本体７の外周面におけるトラップフランジ７ｂよりも上方には、パッキン１３が取り付けられている。
【００２０】
更に、トラップフランジ７ｂよりも下方には、トラップ本体７の側壁に出口７ｃが開口形成されている。この出口７ｃには、トラップ本体７と同一素材の出口管１４が形成されている。このトラップ本体７の上端部７ｄを環状片２ｅに対して下方から挿入することで、トラップフランジ７ｂとボウル部フランジ２ｆとが互いに当接するとともに、パッキン１３によってトラップフランジ７ｂとボウル部フランジ２ｆとの間が水密に保持される。尚、この上端部７ｄと環状片２ｅとの接続により、入口管５の下端部は、トラップ本体７内で出口７ｃよりも下方に配置される。
【００２１】
この状態で、トラップフランジ７ｂとボウル部フランジ２ｆとをファスナー１５によって連結させる。具体的には、このファスナー１５は樹脂材により構成されており、図３（ａ）、図３（ｂ）及び図３（ｃ）に示すように、主に、上下に配置された帯状の挟持片１５ａ，１５ｂと、これら挟持片１５ａ，１５ｂを連結するための複数の連結片１５ｃと、を備えている。このうち、挟持片１５ａ，１５ｂの一側面側には長手方向に沿って上下方向を向く切欠１５ｄが複数形成されている。これら切欠１５ｄによって挟持片１５ａ，１５ｂは可撓性を備え、切欠１５ｄが形成された一側面側を内周面として平面視で略環状となっている。
【００２２】
また、挟持片１５ａ，１５ｂの長手方向の一端部には、挟持片１５ａ，１５ｂが形成した環状の外側方に向けて突出する嵌合突部１５ｅが形成されている。一方、挟持片１５ａ，１５ｂの他端部は、挟持片１５ａ，１５ｂが統合された統合部１５ｆに形成されており、挟持片１５ａ，１５ｂが形成した環状における統合部１５ｆの内周面には、嵌合突部１５ｅが嵌合するための嵌合凹部１５ｇが形成されている。
【００２３】
このように構成されたファスナー１５は、図１及び図２に示すように、当接したトラップフランジ７ｂとボウル部フランジ２ｆを挟持片１５ａ，１５ｂ間に配置するようにしてトラップフランジ７ｂとボウル部フランジ２ｆの周囲に巻回させ、嵌合突部１５ｅを嵌合凹部１５ｇに嵌合することによってファスナー１５によるトラップフランジ７ｂとボウル部フランジ２ｆとの挟持を完了する。以上により、水槽１に対しての排水ボウル部２及び排水トラップ４の取り付けを完了する。
【００２４】
水槽１を使用する場合は、図２に示すように、排水ボウル部２内に調理等で生じた野菜くず等が排水トラップ４内に落下することを防ぐ網目状のゴミ篭１６を配置するとともに、開口の端縁部にゴミ篭１６を使用者の目線から遮蔽するためのゴム材により構成された遮蔽板１７ａ，１７ｂを取り付けることで水槽１の美観を保つことができる。
【００２５】
また、水槽１で使用された水は、入口管５内を通過してトラップ本体７内に流入し、出口７ｃの下端部の高さ位置までの水位となるまでトラップ本体７内に貯えられて封水１９となり、この封水１９の上方には空気層２０が形成される。そして、トラップ本体７内に水が流入し続けて封水１９の水位が上昇することで、上昇した水位分の封水１９が出口７ｃから排水管１８に向けて排水されるようになっている。
【００２６】
尚、本実施例では、上述したように水槽１と排水ボウル部２とを別体として形成し、排水ボウル部２のフランジ２ｃをボルト部材８とナット部材９とによって挟持することで水槽１と排水ボウル部２とを取り付けたが、本実施例の第１変形例として、図４に示すように、水槽１’と排水ボウル部２’とをステンレス材により一体に成形加工するようにしてもよい。
【００２７】
この場合は、排水口３を構成する排水ボウル部２’の底面を、下方に向けて排水口３の縮径方向に傾斜するテーパー面２ｇに形成するとともに、入口管５’の上端部の外周面を、テーパー面２ｇに対向するように傾斜をなすテーパー面５ｂに形成し、入口管５’を排水口３に挿入する際にテーパー面２ｇ，５ｂが当接することで入口管５’の排水ボウル部２’への吊持がなされる。このように排水ボウル部２’及び入口管５’を構成することで、排水ボウル部２’の製造コストを抑えることができる。
【００２８】
また、環状片２ｅをステンレス材により構成することで排水ボウル部２’とトラップ本体７間の接続強度を向上させることができるとともに、水槽１’と排水ボウル部２’との間に継ぎ目が生じないので水槽１’の美観を向上させることができる。
【００２９】
更に、本実施例では第２変形例として、図５に示すように、排水ボウル部２’とトラップ本体７’とを螺着により接続するようにしてもよい。この場合には、排水ボウル部２’の下端部である環状片２ｅに、外周面に雄螺子部２２ａが形成された雄螺子リング２２を挿通させる。この雄螺子リング２２は、特に図示しないが、平面視で半円形状の一対の分割部材を互いに接続することで構成されており、下端部がボウル部フランジ２ｆに当接することによって排水ボウル部２の下端部から抜け出し不能となっている。
【００３０】
一方、本変形例においては、トラップフランジ７ｂをトラップ本体７’の上端部７ｄに形成するとともに、トラップ本体７’の上端部７ｄに、内周面に雌螺子部２０ａが形成された雌螺子リング２０を挿通させる。この雌螺子リング２０は、弾性変形可能な軟質性樹脂により構成されており、拡径方向に弾性変形した状態でトラップ本体７’の上方から上端部７ｄに挿通される。これにより、元の内径にまで復元した雌螺子リング２０の下端部の内周側がトラップフランジ７ｂと出口管１４との間に配置され、雌螺子リング２０は、トラップ本体７’から上下方向に抜け出し不能且つ水平方向に回動可能となっている。
【００３１】
そして、ボウル部フランジ２ｆとトラップフランジ７ｂとの間に環状のパッキン２１を配置した状態から、雌螺子リング２０を水平方向に回動させることで雄螺子部２２ａに対して雌螺子部２０ａを下方から螺挿することで、ボウル部フランジ２ｆとトラップフランジ７ｂとによってパッキン２１を挟圧する。この雄螺子部２２ａに対しての雌螺子部２０ａの螺挿によって、排水ボウル部２’とトラップ本体７’とが接続されるとともに、トラップフランジ７ｂとボウル部フランジ２ｆとの間でパッキン２１がより強力に挟圧され、排水ボウル部２’とトラップ本体７’との間が水密に保持される。
【００３２】
以上、本実施例における排水設備にあっては、排水ボウル部２は、外周部２ｂに被接続部を備え、トラップ本体７は、出口７ｃの上方位置で環状片２ｅに接続するための接続部を備えているので、水槽１で使用された水が排水管１８に排水されるまで一切触れることがない出口７ｃの上方位置で接続部が被接続部に接続されるので、接続部と被接続部との間に水垢等の汚れが付着することが防止され、排水トラップ４からの悪臭の発生を阻止することができる。
【００３３】
また、接続部は、トラップ本体７の外周面に設けられたトラップフランジ７ｂであり、被接続部は、ボウル部フランジ２ｆであり、トラップフランジ７ｂとボウル部フランジ２ｆとは、両者が当接した状態でファスナー１５によって挟持連結されるので、トラップフランジ７ｂとボウル部フランジ２ｆとをファスナー１５によって挟持する簡単な連結構造によって、トラップ本体７と排水ボウル部２とを専用の工具等に習熟せずとも容易に連結することができる。
【００３４】
また、排水ボウル部２は、水槽１とは別体として構成され、上端縁部にフランジ２ｃを有しているとともに、水槽１の底部に係止される外周面に雄螺子部８ａが形成されたボルト部材８と内周面に雄螺子部８ａに螺着可能な雌螺子部９ａが形成されたナット部材９とを螺着することでフランジ２ｃをボルト部材８とナット部材９との間で挟持させ、水槽１に水密に取り付けられるので、水槽１と排水ボウル部２とを一体に製造せずとも水槽１と排水ボウル部２とを別体として製造し、ボルト部材８をナット部材９に対して螺着することによってフランジ２ｃをボルト部材８とナット部材９との間で挟持するのみで容易に排水ボウル部２を水槽１に取り付けることができる。
【００３５】
また、水槽１はステンレス材によって構成されており、排水ボウル部２は、内周部２ａがステンレス材によって構成されているとともに、外周部２ｂが樹脂材によって構成されているので、水槽１と排水ボウル部２の内周部２ａとをステンレス材によって構成することで、水槽１と排水ボウル部２とに一体感を持たせて清潔感を演出することができるとともに、排水ボウル部２の外周部２ｂを樹脂材によって構成することで、環状片２ｅの形成を容易に行うことができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、ファスナー１５を、当接したトラップフランジ７ｂとボウル部フランジ２ｆとに巻回させた後に嵌合突部１５ｅを嵌合凹部１５ｇに嵌合することによってトラップフランジ７ｂとボウル部フランジ２ｆとを挟持したが、挟持片１５ａ，１５ｂの一端部及び他端部である統合部１５ｆに螺子孔を形成し、ファスナー１５がトラップフランジ７ｂとボウル部フランジ２ｆとに巻回した後、これら螺子孔に螺子を螺着することによってファスナー１５によるトラップフランジ７ｂとボウル部フランジ２ｆとの挟持を行うようにしてもよい。
【００３８】
また、前記変形例では、水槽１と排水ボウル部２とをステンレス材により一体に形成したが、ステンレス材により構成された排水ボウル部２は、実施例１と同様に水槽１とは別体に構成した後に水槽１に取り付けられるようにしてもよい。
【符号の説明】
【００３９】
１，１’          水槽
１ａ              開口
２，２’          排水ボウル部
２ａ              内周部
２ｂ              外周部
２ｅ              環状片
２ｆ              ボウル部フランジ（被接続部）
３                排水口
４                排水トラップ
５                入口管
７                トラップ本体
７ｂ              トラップフランジ（接続部）
７ｃ              出口
７ｄ              上端部
８                ボルト部材
８ａ              雄螺子部
９                ナット部材
９ａ              雌螺子部
１５              ファスナー
１８              排水管
【図１】
0005535028.tif 000002
【図２】
0005535028.tif 000003
【図３】
0005535028.tif 000004
【図４】
0005535028.tif 000005
【図５】
0005535028.tif 000006